(57)【要約】  本発明は、非常用トイレ（10）に関する。前記トイレは、開口部（14）を備えた袋（12）からなり、前記袋（12）は、防液性の外側スリーブ（16）と、その内部にある吸液性材料（18）とを有する。【選択図】  図1
2007536029.tif 000002
【特許請求の範囲】
【請求項１】
開口部（14）を有する袋（12）から形成される非常用トイレ（10）であって、前記袋（12）が防液性の外側スリーブ（16）と，その内側の吸液性材料（18）とからなる非常用トイレ（10）。
【請求項２】
前記吸液性材料（18）が超吸液性であることを特徴とする、請求項１に記載の非常用トイレ（10）。
【請求項３】
可撓チューブ（20）が前記開口部（14）を貫通して、前記可撓チューブは前記袋（12）内に突出し、その自由端においてチューブ開口部（22）を形成するものであることを特徴とする、請求項１または２に記載の非常用トイレ（10）。
【請求項４】
前記可撓チューブ（20）が、その内側において吸液性材料、または超吸液性材料で裏打ちされているものであることを特徴とする、請求項３に記載の非常用トイレ（10）。
【請求項５】
前記チューブ開口部（22）が、強いリング（24）により開状態に維持されるものであることを特徴とする、請求項３または４に記載の非常用トイレ（10）。
【請求項６】
前記リング（24）が前記チューブ開口部（22）を開状態に維持可能である一方で、前記チューブ開口部（22）を閉めることが可能なものであることを特徴とする、請求項５に記載の非常用トイレ（10）。
【請求項７】
前記リング（24）が、対角に位置する2つのスナップ式のフラップ・ヒンジを有するものであることを特徴とする、請求項６に記載の非常用トイレ（10）。
【請求項８】
前記可撓チューブ（20）が円錐形を有し、その断面が前記チューブ開口部（22）から徐々に小さくなっていくものであることを特徴とする、請求項４から７のうちいずれか1項に記載の非常用トイレ（10）。
【請求項９】
前記可撓チューブ（20）の全長の約3分の1が、前記袋内部に突出するものであることを特徴とする、請求項４から８のうちいずれか１項に記載の非常用トイレ（10）。
【請求項１０】
前記非常用トイレ（10）を小さなパッキング・サイズに固定する接合片（24）を前記外側スリーブ（16）に備えるものであることを特徴とする、請求項１から９のうちいずれか1項に記載の非常用トイレ（10）。
【発明の詳細な説明】
【技術分野】
【０００１】
本発明は、排尿用の非常用トイレに関する。
【背景技術】
【０００２】
このタイプの非常用トイレは、トイレまたは排尿に適した他の場所が利用不可能ないかなる場所でも必要とされる。
【０００３】
より具体的には、交通渋滞中、大きなイベントに参加している時、または他のそれと似たような状況における場合である。またこのような非常用トイレは、介護を要する者、または車椅子利用者にも使用可能である。
【０００４】
また非常用トイレの利用は、たとえば軍隊においても必要になりうるし、移動する仕事現場（トラック運転手や車両運転手、クレーン運転手など）においても生じうる。他の状況としては、公衆トイレが不衛生な状態にある時のように、あまり好ましくない環境下である。
【０００５】
多くの小型のトイレは、キャンプ用に、トレーラーハウス内およびキャンピングカー内において使用するものが知られ、使用されている。引例DE20310570は、携帯可能な無臭トイレを開示する。これは複雑な構造により特徴付けられ、たとえば、便器ボウル、便座、そして他の部品からなる。それゆえ、容易に小さなパッキング・サイズにすることができず、その結果、トイレの携帯性を制限する。
【０００６】
他の非常用小便容器は、引例DE19915454A1に開示されている。これは、漏斗状の集水装置、流路、そして小便器のための接続具からなる。この非常用小便器は、より小型で、それゆえより運搬容易とはいえ、これもまたきわめて多くの部品を有する。
【０００７】
上記のトイレは双方とも、非常に高価で、洗浄が困難である。また、上記の2つの引例に記載された実施例は、運搬容易でなく、たとえば身体上には手軽に携帯できない。
【発明の開示】
【発明が解決しようとする課題】
【０００８】
本発明の目的は、困難なく運搬できる非常用トイレを提供することである。より具体的には、本発明の非常用トイレは、できる限り適切な方法で身体上に携帯できることを意図している。これは使用するに容易かつ衛生的で、製造コストを可能な限り低くするものである。
【課題を解決するための手段】
【０００９】
本発明によれば、この目的は、開口部を有する袋から形成され、前記袋が防液性の外側スリーブと，その内部の吸液性材料とからなる非常用トイレによって解決される。
【００１０】
したがって本発明による非常用トイレは、従来知られている非常用トイレと対照的に、使い捨てである。その利点は、本発明による非常用トイレは、洗浄の必要がないことと、きわめて小さなパッキング・サイズにしうることにある。
【００１１】
本発明の発明者らは、再利用可能性を削れば、上記目的を解決することにおいてより大きな利益が得られると認めた。発明者らはまた、小さなパッキング・サイズおよび衛生的使用は、適材料の使用によってのみ実現されると認めた。
【００１２】
本発明による非常用トイレは、たとえば単純に折り畳むこと等により、きわめて小さなパッキング・サイズにすることが可能なため、手軽にかつ適切な方法で携帯できる。そして本発明による非常用トイレは、携帯可能ゆえに、いつでもどこでも使用可能である。公共の場での排尿により公共の場が汚れることも、効果的に避けられる。また、小さなパッキング・サイズおよびその軽量性は、特に車椅子利用者に有益である。というのもトイレが車椅子利用者に利用不可能または利用困難なために、車椅子利用者はとにかくよく、本発明による非常用トイレが有用となるような状況に直面しているからである。
【００１３】
有利な点として、本発明による非常用トイレは、使用時までは、その外側に取り付けられた接合片または接着テープを用いて小さなパッキング・サイズに折り畳んでおくことができる。これはより具体的にはより多様に用いることができ、すなわち接合または接着を解いたり再結合させたりすることが可能である。この目的にはたとえばフックおよび面ファスナーまたはその類似物が適している。また、折り畳んだ別個の非常用トイレを一括包装することも想定される。非常用トイレはこうして湿気等の外界の影響から保護される一方で、適当な収縮包装プロセスを用いることによって、パッキング・サイズをさらに小さくすることができる。個別に収縮包装する必要がある複数個の非常用トイレもまた、パッケージにしてまとめて販売することが可能である。
【００１４】
特に有利な他の実施形態では、超吸液性材料が非常用トイレの袋の内部に備え付けられる。この材料は、好ましくは防液性の外側スリーブの内側に接続されている。超吸液性材料という語が意味するのは、たとえば、それ自体の質量の数倍量の液体を吸収可能で、かつ液体を吸収してゲル状になるポリマーのことである。このようなタイプの超吸液性材料は、おむつに使用することが知られている。他の吸液性材料と比較すると、超吸液性材料は比較的小さい体積を有しつつ、圧力下における吸収した液体の保水力はより高い。超吸液性材料は経年劣化の点において安定的で、毒物学的に無害である。薄く網状にされた合成ポリマーがしばしば用いられる。これらはたとえば、アクリル酸またはアクリルアミドをベースとしたポリマーおよびコポリマーを含む。このポリマーは水に溶けにくい。澱粉ベースの超吸収体、たとえばデンプン−アクリロニトリルグラフト重合体、ゼラチン化したデンプン誘導体、またはセルロースベースの誘導体もまた知られている。さらに、ポリオースベースの超吸収体（ヘミセルロース）も知られている。上記の超吸液性材料は例示にすぎず、本発明の範囲内であらゆる適当な材料を使用しうる。
【００１５】
非常用トイレは、可撓チューブが袋内の開口部に接続されていて、前記可撓チューブもまた防液性材料で形成されていると特に有利であることが見出されている。前記チューブは、その自由端において、使用者がバッグに排尿するチューブ開口部を構成する。可撓チューブの長さはどの位の長さを選択してもよいが、約10〜20cmの長さが特に適していることが見出されている。
【００１６】
チューブ開口部の直径はたとえば6〜10cmの範囲だが、それより大きくても小さくてもよい。チューブの直径は、チューブ開口部の直径より小さくてもよいが、同じでもよい。またたとえば円錐状に先細りになっていてもよい。
【００１７】
チューブ開口部は好ましくは一体的に取り付けられたリングによって開口状態が維持され、リングはスプレッダー・リングまたはフラップ・リングになるよう構成され、追加的に密封機能を果たすことができる。リングは、好ましくは、強くて変形しにくい材料製である。可撓チューブはさらに内側が超吸液性材料で裏打ちされていてもよく、それにより使用後、非常用トイレを折り畳んでも可撓チューブの外に液体が少しも漏れ出すことがない。
【００１８】
特に有利な実施形態では、可撓チューブは袋内部に好ましくは袋の全長の3分の1の長さまで突出している。可撓チューブの袋内部に突出する部分は、尿が袋の底部から確実に受け止められるよう選択する。これが有利なのは、さもなければ排尿の間、袋の入口または上部で超吸液性材料がゼリー状化し、開口部または経路を詰まらせうるためである。
【発明の効果】
【００１９】
本発明による非常用トイレは、上記の実施例によれば、使用に容易で便利である。可撓チューブと一体的にされたリングは片手で保持し、袋はチューブから自由にぶら下がるようにする。そして使用者の陰茎をチューブ開口部を介してチューブ内に保持または導入することにより、非常用トイレの衛生的かつ清潔な利用が確保される。原則として、非常用トイレは使用者がどんな姿勢にあるときでも使用可能で、すなわち立った状態でも、座った状態でも、しゃがんだ状態でも、また横たわった状態においてさえも使用可能である。この横たわった状態での使用は、寝たきりの者が利用する際に非常に有利である。
【００２０】
使用後は可撓チューブを折り畳み、好ましくは袋の外側にある１つまたは複数の接着テープを用いて固定する。また、チューブ開口部を密封するためのカバー・プレートを有していてもよい。これは付加的に用いることもできるが、特に、リングが密封機能を果たさない場合のために備えられる。しかしながら、原則として、超吸液性材料が用いられているならば、どちらにしても超吸液性材料が尿の逆流を防止するため、密封は絶対に必要なわけではない。また、超吸液性材料は悪臭を緩和させる。
【発明を実施するための最良の形態】
【００２１】
本発明は、下の図面の説明を読むことで、よりよく理解されるだろう。他の有利な実施特徴は、添付のクレームからも明らかになるであろう。原則として、すべての実施形態は、例として挙げているだけであり、本発明をこれに限定する意図のものではない。
【実施例１】
【００２２】
図１に関して、本発明による非常用トイレ10は、開口部14を有する袋12からなる。対して、図2では、袋12の構造またはそれを製造するための材料を明らかにしている。すなわち袋12は、その内側に吸液性材料18の配置された、防液性の外側スリーブ16を有している。前記材料は外側スリーブとは強固に接続してもよいが、袋12内では固定されなくてもよい。有利な点としては、吸液性材料18は超吸液性材料で、好ましくは生物分解可能である。外側スリーブ16は柔軟かつ折り畳み可能な材料で構成される。たとえば、おむつの外側スリーブにも用いられるプラスチック材料が適している。
【００２３】
袋12は、容量約500mlの液体を保持可能なことが見出されている。必要によりまたは実施例によっては、容量はより大きくても小さくてもよい。
【００２４】
本実施例においては、可撓チューブ20は、開口部14に当接するか、または前記開口部14を通して延設する。その自由端には、チューブ開口部22を有する。可撓チューブ20が円錐形の基本形態を有し、その自由端から袋12に向かって先細になっていると、有利であることが見出されている。さらに、可撓チューブ20は袋12内部まで延び、その長さは実施例に示した袋の長さの約3分の1である。好ましくは、可撓チューブ20の内側もまた超吸液性材料で裏打ちされている。
【００２５】
チューブ開口部22は、一体的に取り付けられたリング24によって開口状態に維持される。前記リングは、たとえば対角に位置する2つのフラップ・ヒンジを有し、それらは開位置ではスナップ式になっていて、リングが同時に密封装置（図示なし）として機能するように意図されている。
【００２６】
さらに、例として、袋12の外側スリーブ16に取り付けられた、2つの接合片24が図示されている。図3は、非常用トイレ10は、これらの接合片24を用いて、携帯可能な小さいサイズにしうることを明示している。このような接合片24の代わりに他のいかなるタイプの固定具を用いてもよい。
【００２７】
本発明は、最小限のサイズにできる初の非常用トイレ12を提供する。本非常用トイレは、使用するにきわめて衛生的かつ容易で、同時に非常に低コストで製造可能である。上記の実施例は特に男性向きであるが、本非常用トイレは女性も使用できるように変形しうる。
【００２８】
外側スリーブ16は、容量約500mlの液体を保持可能であるべきことが見出される。必要によりまたは実施例によっては、容量はより大きくてもより小さくてもよい。
【００２９】
本実施例においては、可撓チューブ20は開口部14に隣接するか、または前記開口部14を通して延設する。その自由端には、チューブ開口部22を有する。可撓チューブ20が円錐形の基本形態を有し、その自由端から袋12に向かって先細になっていると、有利であることが見出されている。さらに、可撓チューブ20は袋12内部まで延び、その長さは実施例に示した袋の長さの約3分の1である。好ましくは、可撓チューブ20の内側もまた超吸液性材料で裏打ちされている。
【００３０】
チューブ開口部22は、一体的に取り付けられたリング24によって開口状態に維持される。前記リングは、たとえば対角に位置する2つのフラップ・ヒンジを有し、それらは開位置ではスナップ式になっていて、リングが同時に密封装置（図示なし）として機能するように意図されている。
【００３１】
さらに、例として、袋12の外側スリーブ16に取り付けられた、2つの接合片24が図示されている。図3は、非常用トイレ10は、これらの接合片24を用いて、携帯可能な小さいサイズにしうることを明示している。このような接合片24の代わりに他のいかなるタイプの固定具を用いてもよい。
【００３２】
本発明は、最小限のサイズにできる初の非常用トイレ12を提供する。本非常用トイレは、使用するにきわめて衛生的かつ容易で、同時に非常に低コストで製造可能である。上記の実施例は特に男性向きであるが、本非常用トイレは女性も使用できるように変形しうる。
【００３３】
外側スリーブ16は、たとえばエチレン酢酸ビニール（ポリマー）で形成してもよい。この材料は、確実な防液性を有する一方で、非常に薄く形成でき、極めて柔らかく、またその結果容易に変形可能であるため、特に適している。容易に変形可能という後者の特徴は、非常用トイレ10が可能な限り小さなサイズに折り畳み可能であることを意図しているため、特に目的に適う。
【００３４】
超吸液性材料18は、好ましくはフリース製の内袋の中に配置されてもよい。このようなフリース、たとえばポリプロピレン製の（カーディング製法による）不織フリースまたは可能な限り高い綿比率を有するフリースは、透液性があるが、超吸液性材料18をしっかりと包む。その利点は、超吸液性材料18が袋12から誤って落ちたり抜け落ちたりすることを防ぐことができることにある。内袋自体は、膨張した超吸液性材料18にも対応するに十分な内部容量を有する。小さなサイズを確保するために、内袋は、平置き位置から最終的なサイズへと広げることが可能な方法で形成される。この目的のため、適当なダーツを入れてもよい。
【００３５】
袋12から内袋が抜け落ちるのを防ぐために、内袋の平置き状態の寸法は、可撓チューブ20の内側直径よりも大きくする。内袋は、圧縮して、ごく狭い可撓チューブ20からのみ取り出し可能としてもよい。しかしながら、袋12の内部に、たとえば接着等によって、内袋を取外し不可能に固定することも可能である。
【００３６】
最後に、好ましくは中間材を、内袋と外側スリーブ16との間に導入し、内袋または超吸液性材料18の追加的保護スリーブとして機能させてもよい。加えてたとえば綿様の材料製の中間層が、袋12に、よりよい触り心地を与える。
【００３７】
チューブ開口部22は、その内側に、たとえばフリースのような織物製の部分を有し、前記部分は縁部分から可撓チューブ内部へと延びる。これらの織物部分または自由に垂れ下がった布片は、液体を袋12からより流れ出し難くし、前記液体は、内側に配置された布片により保持または吸収される。
【００３８】
本発明による別の実施例では、チューブ開口部22は、外側に垂れた前掛け部分と一体的にされている。トイレ使用者は、袋12を保持する指を前記前掛け部分の下に置く。使用後は、この張出した材料を上に、即ちチューブ開口部の縁の上方へ押し上げ、最終的にチューブ開口部22内に押し込む。すると前掛け部分は、追加的な密封手段となる。前掛け部分は、チューブ開口部22の一部に設けてもよいし、開口部22全体を取り囲んで設けてもよい。
【００３９】
そして最後に、好ましくは、特に使用後に非常用トイレ10を密封するための接合片24を備える。密封はまた、可撓チューブ20を袋12のほうに向かって巻き、巻いたチューブ20を適宜配置された接合片24で端部に固定することによっても可能である。
【００４０】
外側スリーブ16は、好ましくは、対応する形態にされ溶接された単一の管状のフィルムからなる。管状のフィルムは、極めて低コストのフィルムであるため、非常用トイレ10の製造コストは、そのようなフィルムを使用することにより著しく減少することができる。外側スリーブ16の最終的な形態は超音波溶接によって得られ、突出部分は機能を阻害しないので残されてもよいが、切除してもよい。これもまた製造コストを下げることを可能にする。
【００４１】
第1の実施例では、袋12は、チューブ開口部22から反対の端までの全長が約35cmで、袋12の幅は約13.5cmであり、チューブの幅は約10cmである。上記寸法は、平置き状態の袋12のものである。内袋は、幅が約12.5cmで長さが約15.5cmである。チューブ開口部22からのチューブの長さは約17cm、幅は最大幅13.5cmに達するまで約6cm広がる。それゆえ内袋は、袋12の幅部分に固定され、そこから抜け落ち難くなっている。チューブ開口部の内径は、約6〜7センチである。記載の実施例では、外側スリーブは一体形成され、すなわち、外側スリーブ16自体が袋12および可撓チューブ20を形成する。
【図面の簡単な説明】
【００４２】
【図１】図１は、本発明による非常用トイレの概略図である。
【図２】図２は、本発明の袋の細部の断面図である。
【図３】図３は、折り畳んだ状態にある非常用トイレの概略図である。
【図１】
2007536029.tif 000003
【図２】
2007536029.tif 000004
【図３】
2007536029.tif 000005
【国際調査報告】
2007536029.tif 000006
2007536029.tif 000007
2007536029.tif 000008
2007536029.tif 000009
2007536029.tif 000010
2007536029.tif 000011